(57)【要約】  キーボードを含み、従来のコンピュータ構成要素を格納するケースを有するラップトップ・コンピュータが構築される。表示画面は、前記コンピュータ・ケースに枢動可能に固定され、オペレータが前記表示画面上に表示された情報を観察できる操作位置にヒンジの周りで枢動させることができる。第２の表示画面は、前記第１の表示画面に枢動可能に固定され、さらに前記コンピュータ・ケース内の前記コンピュータ構成要素に接続されている。前記第２の表示画面は、操作位置に開かれるとき、前記第１の表示画面上に表示されたのと同じ情報を表示するが、反対方向に向き、そのためオペレータおよびオブザーバがそれぞれ前記第１および第２の表示画面上に見える同じ情報を観察することができる。【特許請求の範囲】
【請求項１】
少なくともキーボード、マイクロ・プロセッサおよびコンピュータ・メモリを有するラップトップ・コンピュータ筐体に枢動可能に連結された第１の表示画面と、
表示画面を介してオブザーバからの入力を受け取るように構成された接触感応式の第２の表示画面であって、前記第１の表示画面に連結されており、互いに対面する第１の人間および第２の人間がそれぞれ前記第１および第２の表示画面とも対面する第１の位置に移動可能である、第２の表示画面とを備えるラップトップ・コンピュータ。
【請求項２】
前記第２の表示画面が前記第１の表示画面にヒンジで連結される、請求項１に記載のラップトップ・コンピュータ。
【請求項３】
前記第２の表示画面が、格納時に前記第１の表示画面の背面と向き合う背面を有し、前記第１の表示画面が、前記第１の表示画面が格納されたときに前記第２の表示画面の正面の閲覧面が露出するように、格納時に前記キーボードと向き合う正面の閲覧面を有する、請求項２に記載のラップトップ・コンピュータ。
【請求項４】
前記第１の表示画面も接触感応式表示画面である、請求項１に記載のラップトップ・コンピュータ。
【請求項５】
着脱可能に前記第２の表示画面を覆うように適合された保護カバーをさらに備える、請求項１に記載のラップトップ・コンピュータ。
【請求項６】
取外し可能に前記第２の表示画面を覆うように適合された保護カバーをさらに備える、請求項１に記載のラップトップ・コンピュータ。
【請求項７】
前記第２の表示画面に結合されたタッチ画面ペンをさらに備える、請求項１に記載のラップトップ・コンピュータ。
【請求項８】
電力およびデータ信号の両方を別のコンピュータ表示装置に供給するように構成されたコード・コネクタをさらに備える、請求項１に記載のラップトップ・コンピュータ。
【請求項９】
少なくともキーボード、マイクロ・プロセッサおよびコンピュータ・メモリを収納するベースと、
前記ベースにヒンジで連結された第１の表示画面と、
第２の表示画面が前記第１の表示画面に近接する第１の位置から、第２の表示画面の底辺が前記第１の表示画面の底辺から離れる第２の位置に枢動できるように、前記第１の表示画面に枢動可能に連結され、第２の表示画面がその第２の位置に枢動したとき、前記第１および第２の表示画面が異なる方向を向く第２の表示画面であって、表示画面を介してオブザーバからの入力を受け取るように構成された接触感応式表示画面である第２の表示画面とを備えるラップトップ・コンピュータ。
【請求項１０】
前記第１の表示画面も接触感応式表示画面である、請求項８に記載のラップトップ・コンピュータ。
【請求項１１】
前記第２の表示画面が、前記第１の位置にあるときに前記第１の表示画面の背面と向き合う背面を有し、前記第１の表示画面が、前記第１の表示画面が格納されたときに前記第２の表示画面の正面の閲覧面が露出するように、格納時に前記キーボードと向き合う正面の閲覧面を有する、請求項８に記載のラップトップ・コンピュータ。
【請求項１２】
前記第１の表示画面も接触感応式表示画面である、請求項８に記載のラップトップ・コンピュータ。
【請求項１３】
着脱可能に前記第２の表示画面を覆うように適合された保護カバーをさらに備える、請求項８に記載のラップトップ・コンピュータ。
【請求項１４】
取外し可能に前記第２の表示画面を覆うように適合された保護カバーをさらに備える、請求項８に記載のラップトップ・コンピュータ。
【請求項１５】
前記第２の表示画面に結合されたタッチ画面スタイラスをさらに備える、請求項８に記載のラップトップ・コンピュータ。
【請求項１６】
電力およびデータ信号の両方を別のコンピュータ表示装置に供給するように構成されたコード・コネクタをさらに備える、請求項８に記載のラップトップ・コンピュータ。
【請求項１７】
少なくともキーボード、マイクロ・プロセッサおよびコンピュータ・メモリを有するラップトップ・コンピュータを備えるラップトップ・コンピュータ会議システムであって、前記ラップトップ・コンピュータが、電力および表示信号の両方を前記ラップトップ・コンピュータから独立した第１の表示装置に供給するように構成されたコード・コネクタをさらに備える、ラップトップ・コンピュータ会議システム。
【請求項１８】
前記第１の独立した表示画面も接触感応式表示画面である、請求項１７に記載のラップトップ・コンピュータ会議システム。
【請求項１９】
前記第１の独立した表示画面がビデオ・カメラを含む、請求項１７に記載のラップトップ・コンピュータ会議システム。
【請求項２０】
第２の独立した表示画面への電力と表示信号の両方を供給する統合ケーブルによって前記ラップトップ・コンピュータに結合された第２の独立した表示画面をさらに含む、請求項１７に記載のラップトップ・コンピュータ会議システム。
【発明の詳細な説明】
【技術分野】
【０００１】
本発明は、ラップトップ・コンピュータに関し、より詳細には、２台の表示装置（ｄｉｓｐｌａｙｓ）を有し、その表示装置のうちの一方または両方が対話型接触画面であるポータブル・コンピュータに関する。
【背景技術】
【０００２】
コンピュータ、なかでもラップトップ・コンピュータは、選択された周辺装置とあいまって、従来、オブザーバ（ｏｂｓｅｒｖｅｒ）のグループに向けてプレゼンテーションを行うコンピュータ・オペレータが利用できるように設計されてきた。このようなコンピュータを操作する際に利用される技術は、コンピュータの表示画面上でオペレータが見ることのできる選択された資料のプレゼンテーションを、グループ全員が観察できるだけの大きさをもつ第２または補足の表示画面上で複数の個人またはグループに対して行うことを目的とするものである。このような技術はセミナーやセールス・ミーティングあるいは同様の集まりで行われる資料のプレゼンテーションではよく見られるものであり、この場合、コンピュータ・オペレータの意志によって、そのオペレータの利用できる情報が、グループ向けの表示画面に表示される。
【０００３】
このようなコンピュータの初期バージョンは、比較的嵩が張り、またソフトウェアならびに必要な周辺装置の実装に非常に費用がかかった。より最近のバージョンのコンピュータでは、プレゼンテーションでデュアル画面表示装置（ｄｕａｌ  ｓｃｒｅｅｎ  ｄｉｓｐｌａｙ）が使用でき、それによりプレゼンタ（ｐｒｅｓｅｎｔｅｒ）とオブザーバが、より有効なコミュニケーションのために対面しながら、２つの、別々ではあるがヒンジで連結されている表示装置を見ることができる。デュアル画面ラップトップ・コンピュータの実例は、「Ｃｏｍｐｕｔｅｒ  Ｄｉｓｐｌａｙ  Ｓｃｒｅｅｎ  Ｓｙｓｔｅｍ  ａｎｄ  Ａｄｊｕｓｔａｂｌｅ  Ｓｃｒｅｅｎ  Ｍｏｕｎｔ，  ａｎｄ  Ｓｗｉｎｇｉｎｇ  Ｓｃｒｅｅｎｓ  ｔｈｅｒｅｆｏｒｅ」という名称のＭｏｓｃｏｖｉｔｃｈの米国特許第６３４３００６号（２００２年１月２９日発行）、およびＲｅｂｅｓｋｅの米国特許第６２９５０３８号（２００１年９月２５日発行）に示され記載されており、これらの特許における開示を、当技術分野で知られている複数の表示画面を有するラップトップ・コンピュータの可能な構造、動作および機能の開示に関して本明細書に参考として援用する。これらの特許はそれぞれ、オブザーバに対しセールス・タイプのプレゼンテーションを行うオペレータに適したマルチ画面ラップトップ・コンピュータの実例を開示している。
【０００４】
従来のデュアル画面表示装置は、１人のオブザーバに対する一方的なプレゼンテーションを提供するには有効ではあるが、表示装置上の何事かについてオブザーバに疑問が生じると、オブザーバは画面を十分詳細に説明することでプレゼンタにその疑問について説明するか、あるいはプレゼンタにオブザーバの表示装置を見に来てもらわなければならない。多くの場合、これでは第２の表示装置を有する利点の多くが損なわれてしまう。というのもプレゼンタとオブザーバの両方が結局同じ画面を見ることに彼らの時間の一部を費やすことになるからである。複数の人間による複数の表示装置の視聴（ｖｉｅｗｉｎｇ）を調整しようとする試みが、プレゼンテーションの流れを、したがってその有効性を台無しにする可能性さえある。
【特許文献１】米国特許第６３４３００６号
【特許文献２】米国特許第６２９５０３８号
【発明の開示】
【発明が解決しようとする課題】
【０００５】
本発明は、オブザーバがそれを用いて対話することのできるデュアル画面プレゼンテーション・ラップトップに関する。
【課題を解決するための手段】
【０００６】
具体的にはオブザーバが、表示装置を介してフィードバックを行うことができ、プレゼンタにプレゼンテーション中にオブザーバの表示装置を見てもらわなくても疑問や懸念を覚える領域を指示することができ、またプレゼンテーションを進める際に補助となり得るオプションを個々で選択できるように、ラップトップ・コンピュータの２つの画面のうちの一方または両方が接触感応式（ｔｏｕｃｈ  ｓｅｎｓｉｔｉｖｅ）になっている。接触感応式表示装置を用いた対話は、オブザーバの指またはタッチペンなどその他の画面対話用ツールによる対話を含むことができる。さらに本発明の特定の実施形態は、複数の参加者がポータブル表示装置を用いて対話でき、相手となるローカルおよび／または遠隔の各会議参加者を見ることもその声を聞くこともできる、対話型会議システムに関する。
【０００７】
本発明の上記その他の特徴および利点は、本発明の特定の実施形態について、添付の図面に示し、以下に述べるさらに詳細な説明から明らかとなろう。
【発明を実施するための最良の形態】
【０００８】
次に図１および２を参照すると、本発明の教示に従って構築されたラップトップ・コンピュータ２の透視図が示してある。このコンピュータは、通常のポータブル・コンピュータの１つまたは複数の構成要素、例えばプロセッサ、ＲＡＭおよびハードディスクを含めたメモリ、フロッピーディスク（登録商標）・ドライブ、ＤＶＤおよびＣＤドライブ、モデム・カード、ならびに従来のラップトップ・コンピュータで現在利用可能な同様の構成要素を格納できるケース１０を含む。コンピュータ・ケース１０はまた、キーボード、タッチパッドまたは他のカーソル・コントロール、ファンクション・キー、ならびにコンピュータ２と対話するための従来のラップトップ・コンピュータで現在利用可能なその他の構成要素を含むこともできる。ラップトップ・コンピュータは、携帯可能（ｐｏｒｔａｂｌｅ）であり、通常は電源内蔵式（ｓｅｌｆ−ｐｏｗｅｒａｂｌｅ）コンピュータであり、通常のデスクトップ・コンピュータの機能をもつが、携行を容易にするために軽量でコンパクトな形態をしている。
【０００９】
図１のラップトップ・コンピュータ２は、少なくとも１つのヒンジ部材８によって第１の表示画面６に枢動可能に連結された第２の表示画面４を含む。第１の表示画面６もまた、少なくとも１つのヒンジ部材１２によってコンピュータ・ケース１０に枢動可能に連結されている。２つの構成要素を枢動可能に連結する、他にも多くの連結装置が、例えばボールおよびソケットのピボットあるいは枢動するトラック・ガイドが存在する。第２の表示画面４を第１の表示画面６に枢動可能に連結し、第１の表示画面６をコンピュータ・ケース１０に連結している具体的な連結機構は、本発明にとって重要ではない。ラップトップ・コンピュータをその表示装置に連結するピボット機構は、当技術分野で周知である。
【００１０】
図２には、デュアル表示位置（ｄｕａｌ  ｄｉｓｐｌａｙ  ｐｏｓｉｔｉｏｎ）に展開した図１のラップトップ・コンピュータを示してあり、この場合、コンピュータ２のコンピュータ・ケース１０側のオブザーバは第１の表示装置６を見ることができ、コンピュータ２の第２の表示装置４側のオブザーバは第２の表示装置４を見ることができる。第２の表示装置４の筐体の縁に沿ったゴムあるいは他の摩擦増大用脚部１４が、図２に示すようなデュアル表示位置にあるとき、枢動する表示画面４および６の位置を維持する助けとなる。それに代えて、またはそれに加えて、ヒンジ部材８または１２を、第１および第２の表示装置６および４の位置および方向を維持する位置に調整して堅く固定するように構成することもできる。このようなヒンジ部材は、表示装置が、オペレータによって位置が決められると、その相対的な位置および方向を維持できるようにする、従来のラップトップ・コンピュータとその表示装置との間のヒンジとしてよく見られるものである。
【００１１】
本発明の他の態様によれば、手書き入力タブレット（ｗｒｉｔｉｎｇ  ｔａｂｌｅｔ）部分４をラップトップ・コンピュータ部分６および１０から分離して使用できるように、第２の表示画面４を第１の表示画面６から取外し可能なように構成できることが企図されている。可動式のヒンジ・ピンを用いるヒンジ部材を含めて、ただしそれだけには限らない取外し可能なヒンジ部材は、当技術分野で周知である。第２の表示画面４が第１の表示画面６から取外し可能であるようにするためには、第２の表示画面４もまた、それ自体のプロセッサ、メモリおよび電源装置（ｐｏｗｅｒ  ｓｕｐｐｌｙ）を備える必要があるはずである。プロセッサおよび電源装置は、第２の表示画面４が第１の表示画面６に連結されていてもいなくても動作することができ、あるいは分離して使用するために第２の表示画面４が第１の表示画面６から取り外されているときにだけ動作するように構成することもできる。
【００１２】
図１を再度参照すると、コンピュータ・ケース１０は、任意選択で収納部（ｒｅｃｅｓｓ）１６と、第２の表示画面４上の接触感応面（ｔｏｕｃｈ  ｓｅｎｓｉｔｉｖｅ  ｓｕｒｆａｃｅ）２０を用いて対話するためのスタイラス１８を含む。ラップトップ・コンピュータでは一般的でないが、公共のキオスク端末で使用するための接触感応式表示画面は当技術分野で周知である。接触感応式表示画面４の表面２０は、表示画面４を用いて対話するオブザーバからの入力を認識するように構成された複数のプログラム可能な表示領域を含む。表示画面４は、手による接触を介して、かつ／または表示装置に信号を伝送する特別な構成のスタイラスとの電子的接触を介して入力を受け取るように構成することができる。この種の表示装置およびスタイラスはいずれも当技術分野で周知である。本発明で使えるように構成できる接触感応式表示画面４の一例として、カリフォルニア州Ｓｕｎｎｙｖａｌｅに米国でのビジネス拠点をおく富士通コンピュータシステムズ社製のＳｔｙｌｉｓｔｉｃ  ３５００  Ｔａｂｌｅｔコンピュータで使用されている接触感応式表示画面がある。
【００１３】
また、下記でさらに詳述するように、ラップトップ・コンピュータ２を用いて会議をする際に使用されるビデオ・カメラ装置／マイクロホン２２も第２の表示画面４に組み込むことができる。ビデオ・カメラ装置／マイクロホン２２は、筐体に組み込むこともでき、あるいは、その他の形で、使用する間、恒久的または一時的に筐体に接続することもできる。同様のビデオ・カメラ装置／マイクロホン３６（図３）を、第１の表示画面６に組み込むこともできる。
【００１４】
従来のラップトップ・コンピュータと同様、本発明の実施形態も、第１の表示装置をラッチ受け座（ｌａｔｃｈ  ｃａｔｃｈｅｓ）２６によってコンピュータ・ケース１０に対して解除可能に留めるためのラッチ要素２４および２６を含むことができる。ラッチリリース（ｌａｔｃｈ  ｒｅｌｅａｓｅ）２８は一般に、ラッチ要素２４をラッチ受け座２６から解除するために使用される。従来のラップトップ・コンピュータ表示装置に使用されるラッチと同様ではあるが、デュアル表示ラップトップに独自のものとして、本発明の実施形態は、任意選択で、第２の表示画面４の背面に、対応するラッチ受け座３２とかみ合って第２の表示画面４を第１の表示画面６の背面に解除可能に留める、１つまたは複数のラッチ要素３０を含む。また、ラッチ３０をラッチ受け座３２から解除するためのラッチリリース３４を含むこともできる。ラッチ２４および３０は、収納、運搬、あるいは手書き入力タブレットとして使用する際にラップトップ・コンピュータ２を折り畳んだ位置（ｃｏｌｌａｐｓｅｄ  ｐｏｓｉｔｉｏｎ）（図４参照）にしっかり留めておくために使用することができる。
【００１５】
第２の表示画面４を使用して、プレゼンテーション中に複製情報を提供することができる。この第２の表示画面上の複製情報により、オペレータがプレゼンテーションの制御を続けながら、オペレータとオブザーバがテーブルまたは机を挟んで座り、表示画面上に提供された情報について議論することができる。オペレータが一定の不要な表示事項を、第１の表示画面上には残しておいて、第２の表示画面上では除外できるようにプログラミングされたソフトウェアを提供するのは比較的容易なことである。例えばオペレータは、表示画面上に表示される文書について述べる際、第２表示画面上に開示または表示された文書を読み上げる、あるいはその情報を解釈するときにオブザーバを混乱させることになる、ツールバー、表示オプション、あるいはプログラム情報など必ずしも必要でない情報が第２の表示画面上に表示されないことを望むかもしれない。
【００１６】
また有利なことに、本発明の一実施形態に従って構成されたラップトップを使用するとき、オペレータは、その情報にただ強調表示を加える、あるいは下線を引くことによって、オブザーバが自身の表示画面を見ている間に、オブザーバに表示される情報または文書の特定部分を強調することができる。すなわちオペレータの行為の結果として第１の画面上に生じた下線の引かれた、あるいは強調表現を加えられた情報が第２の画面を介してオブザーバに自動的に提供される。この機能によりオペレータは、当該の問題についてオブザーバと議論しながら、同時にオブザーバに対して情報または文書の一定の箇所を強調することができる。さらに、本発明の特定の実施形態における第２の表示画面は接触感応面２０を含むので、プレゼンテーション中に２つの別々の表示装置を使用することの利点を失うことなく、両者がより迅速に対話できるように、オブザーバもまたオペレータに対して特定の情報を選択、強調表示、あるいは他の方法で強調することができる。
【００１７】
図３には、図１に示したラップトップ・コンピュータ２であるが、第１の表示画面６および第２の表示画面４の両方がラップトップ・コンピュータ２のオペレータに見えるように、第２の表示画面４が真直ぐに枢動されている実施形態が示してある。ラップトップ・コンピュータがこのデュアル画面位置にあるとき、オペレータには、表示装置が１つしかない場合に比べて２倍の表示領域が与えられる。第２の表示装置４は、第１の表示装置６に表示されているのと同じ情報を表示するようにプログラムすることもでき、それ自体の情報を表示する完全に独立した表示装置として動作するようにプログラムすることもでき、あるいは第１の表示画面６を併せ用いて、情報の半分を第１の表示画面６に、情報のもう半分を第２の表示画面４に表示するようにプログラムすることもできる。第１および第２の表示画面６および４は、第２の表示画面４の方向を判定する任意選択のセンサを備えることもでき、またソフトウェアを使用して、オペレータに、２つの表示装置を協調して使用する単一オペレータに表示される情報のスタイルを選択させることもできる。
【００１８】
任意選択で、または代替として、第１の表示画面６もまた、上記で説明した第２の表示画面４の表示面のような接触感応式表示面３８を含むことができる。これによりオペレータは、第１の表示画面６を介して、かつキーボード、タッチパッドまたは他のカーソル・コントロール、ファンクション・キーなど従来の手動による入力を介してコンピュータ２と対話するというオプションが可能になる。
【００１９】
図４には、折り畳んだ位置にある、本発明によるラップトップ・コンピュータ２の一実施形態が示してある。この位置にあるとき、ラップトップ・コンピュータ２は手書き入力タブレットとして使用することができる。図５には、図１に示した本発明の実施形態で使用される、任意選択の画面保護カバー４２が示してある。カバー４２は、プラスチックまたは金属など、どんな種類の素材で形成することもできる。このカバーは、表示画面４をぴったり覆うように構成することもできるが、第２の表示画面４にパチンと嵌ることが企図されている。
【００２０】
他の手書き入力タブレット・コンピュータとは異なり、本発明の実施形態は、タブレット・コンピュータとしてだけでなく、プレゼンテーションおよび会議用コンピュータとしても有用である。今日まで、手書き入力タブレット・コンピュータは特定の限られた分野での限られた有用性しか見出せずにいる。例えば、比較的わずかな入力しか必要とされない医療分野の場合である。手書き入力タブレットの機能が限られていると思われているせいで、ビジネスの世界での手書き入力タブレットの使用は失敗であったと思われている。同様に、２画面ラップトップ・コンピュータの使用も、それほど成功してはいない。手書き入力タブレットと２画面ラップトップ・コンピュータというこのユニークな組合せによって、両業界は、いまやマーケティングでの成功およびより大きな利便性を見出すことができると思われる。
【００２１】
図６には、本発明の一実施形態に従って構成されたラップトップ・コンピュータの一代替実施形態が示してある。図６に示す実施形態では、単一の表示装置筐体４４に第１の表示装置４６と第２の接触感応式表示装置４８の両方が収納されている。単一の表示装置筐体４４は、コンピュータ・ケース１０に枢動可能に連結されている。この実施形態では、ラップトップ・コンピュータ４２が折り畳んだ位置にあるとき、第２の表示画面４８が先の実施形態でと同様に手書き入力タブレットとして動作する。しかし第１および第２の表示画面４６および４８は、互いに枢動可能に連結されているのではなく、同じ表示装置筐体４４に組み込まれている。これにより、よりコンパクトな設計が実現する。図５に示したそれのような、十分に硬いカバーを第２の表示画面４８を保護しカバーするために使用することができる。
【００２２】
２つの表示画面を使用し、適切なソフトウェアおよび表示ドライバを使用する本発明の他の実施形態と同様に、エネルギーの節約およびプライバシー保護のために、表示画面は、使用しないときには選択的に電源を切ることができる。例えば、ラップトップ・コンピュータが折り畳んだ位置（図４）にあるとき、第１の表示画面に情報を表示する必要はない。ラップトップ・コンピュータは、折り畳んだ位置で置かれるとき、第１の表示画面の電源を自動的に切るようにプログラムされることが企図されている。また例えば、ラップトップ・コンピュータは開いている（図２および６）が、コンピュータ・オペレータの向かいに第２のオブザーバがいないときは、第２の表示画面に電源が入っている必要はない。実際、エネルギーが不必要に消費され、また他人が潜在的に個人的な情報を目にしかねないことからも、第２の表示画面に情報を表示することは望ましくないはずである。ラップトップ・コンピュータは、オペレータに、第２の表示装置の電源を入れる、かつ／またはラップトップ・コンピュータの動作モード（例えばデュアル画面オペレータ（図３）、デュアル画面オブザーバ（図２および６）、手書き入力タブレット（図４）、単一画面オペレータ（図２および６）など）を選択するオプションを提供するようにプログラムされることが企図されている。
【００２３】
図７には、冒頭で説明した本発明の態様を使用したラップトップ・コンピュータ会議システム５０が示してある。ラップトップ・コンピュータ会議システム５０は、コンピュータ・オペレータの姿を映像および音声で記録するためのビデオ・カメラ／マイクロホン５６の付いたラップトップ・コンピュータ５２を含む。本発明の先の実施形態でと同様、ラップトップ・コンピュータ５２は接触感応式である第２の表示画面を含むことができる。ただし本発明のこの態様は、会議システムの実施形態で使用するラップトップ・コンピュータには必要でない。他の適切に構成されたラップトップ・コンピュータでも、同様に図７を参照しながら説明するシステムで必要とされるラップトップ・コンピュータ５２の必要な機能を実施することができる。１つまたは複数の対話型表示モニタ５４が、ラップトップ・コンピュータ５２にデータ信号および電力の両方を供給するケーブル５３を介して結合される。したがって表示モニタは、ラップトップ・コンピュータ５２によって、すなわち、そのバッテリまたは他の電源によって電力を供給される。
【００２４】
従来のビデオ会議用モニタはそれぞれ、それ自体の独立した電源を必要とする。多くの環境では、複数のビデオ会議用モニタに足るだけの数の別々のプラグは存在せず、環境によっては、そもそも別々のプラグがまったく存在しない。別の表示装置５４に電力を供給するラップトップ・コンピュータ５２に差込口を、表示装置５４にデータと電力の両方を供給する適切に構成された絶縁遮蔽ケーブルを与えることによって、別々の差込口は必要でなくなり、ビデオ会議を事実上どこででも行うことができるようになる。各表示装置５４は、映像および音声イメージを記録するためのビデオ・カメラ／マイクロホン５６、ならびに、オブザーバが表示画面を用いて対話できるようにするための接触感応式表示面５８、および、任意選択のスタイラス５９を含むことができる。さらに、独自の電源６４、および、無線送受信器６２を含む無線モニタ６０を使用することもできる。コンピュータ・プロセッサ間での無線信号の送受信は当業界では周知であり、ＷｉＦｉ、ブルートゥース、無線周波数、および、当業界で知られている他の任意の方法などのいずれかの方法によって達成することができる。
【００２５】
特定の一実施形態では、各表示装置５２、５４および６０（ラップトップは表示装置としても動作する）は、（ラップトップ５２用のキーボードまたは画面を介する、または、その他のモニタ５４および６０の接触感応式画面を介する）対話型インターフェース、および、ビデオ・カメラ／マイクロホン５６を含む。ラップトップ・コンピュータは、各モニタ５４または６０を識別し、映像／音声信号、ならびに、各モニタ５４または６０のオブザーバから受信するどの対話も受け取るように構成されたソフトウェアを含む。次いで、各表示装置５２、５４および６０は、自ら以外の各モニタから受信した映像および音声信号を表示し、映像信号は表示装置上の別々のウィンドウに表示され、音声信号はまるですべての参加者が同じ部屋にいるかのように再生される。音声／映像信号処理技術の分野における当業者なら、与えられた説明から、本明細書で説明したように、音声／映像信号を容易に表示および再生できると思われる。本発明の会議システムは、図７に示すように、同じテーブルを囲む参加者によって使用されるだけでなく、テーブルを囲む参加者が、遠隔地にいる他の参加者と、おそらくインターネット、あるいは、他の通信媒体を介して会議することが確かに企図されている。
【００２６】
本明細書で示した実施形態および例は、本発明およびその実際の応用を最もよく説明し、それにより当業者が本発明を行い利用できるようにするために提供した。しかし、上記の説明および例が例示の目的で提示されているにすぎないことは、当業者には理解されよう。上記で示した説明は包括的でもなければ、本発明を開示された正にその形態にのみ限定することを目的とするものでもない。上記の教示に照らして、添付の特許請求の範囲の趣旨および範囲を逸脱することなく、多くの修正形態および変形形態が可能である。
【図面の簡単な説明】
【００２７】
【図１】表示装置が向き合った両側から見るように構成された、本発明による対話型デュアル画面ラップトップ・コンピュータ実施形態の透視図である。
【図２】図１のラップトップ・コンピュータ実施形態の側面図である。
【図３】表示装置が片側から見るように構成された、図１のラップトップ・コンピュータの透視図である。
【図４】表示装置が折り畳んだ位置にある、図１のラップトップ・コンピュータの透視図である。
【図５】保護カバーを示す、折り畳んだ位置にある図１のラップトップ・コンピュータの側面図である。
【図６】同じ筐体に収納された２つの表示装置を有する、本発明の一代替実施形態の側面図である。
【図７】本発明の一実施形態に従って構成された会議システムの透視図である。
【図１】
2007523399.tif 000002
【図２】
2007523399.tif 000003
【図３】
2007523399.tif 000004
【図４】
2007523399.tif 000005
【図５】
2007523399.tif 000006
【図６】
2007523399.tif 000007
【図７】
2007523399.tif 000008
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
少なくともキーボード、マイクロ・プロセッサおよびコンピュータ・メモリを有するラップトップ・コンピュータ筐体に枢動可能に連結された第１の表示画面と、
表示画面を介してオブザーバからの入力を受け取るように構成された接触感応式の第２の表示画面であって、前記第１の表示画面に連結されており、互いに対面する第１の人間および第２の人間がそれぞれ前記第１および第２の表示画面とも対面する第１の位置に移動可能である、第２の表示画面とを備えるラップトップ・コンピュータ。
【請求項２】
前記第２の表示画面が前記第１の表示画面にヒンジで連結される、請求項１に記載のラップトップ・コンピュータ。
【請求項３】
前記第２の表示画面が、格納時に前記第１の表示画面の背面と向き合う背面を有し、前記第１の表示画面が、前記第１の表示画面が格納されたときに前記第２の表示画面の正面の閲覧面が露出するように、格納時に前記キーボードと向き合う正面の閲覧面を有する、請求項２に記載のラップトップ・コンピュータ。
【請求項４】
前記第１の表示画面も接触感応式表示画面である、請求項１に記載のラップトップ・コンピュータ。
【請求項５】
着脱可能に前記第２の表示画面を覆うように適合された保護カバーをさらに備える、請求項１に記載のラップトップ・コンピュータ。
【請求項６】
取外し可能に前記第２の表示画面を覆うように適合された保護カバーをさらに備える、請求項１に記載のラップトップ・コンピュータ。
【請求項７】
前記第２の表示画面に結合されたタッチ画面ペンをさらに備える、請求項１に記載のラップトップ・コンピュータ。
【請求項８】
電力およびデータ信号の両方を別のコンピュータ表示装置に供給するように構成されたコード・コネクタをさらに備える、請求項１に記載のラップトップ・コンピュータ。
【請求項９】
少なくともキーボード、マイクロ・プロセッサおよびコンピュータ・メモリを収納するベースと、
前記ベースにヒンジで連結された第１の表示画面と、
第２の表示画面が前記第１の表示画面に近接する第１の位置から、第２の表示画面の底辺が前記第１の表示画面の底辺から離れる第２の位置に枢動できるように、前記第１の表示画面に枢動可能に連結され、第２の表示画面がその第２の位置に枢動したとき、前記第１および第２の表示画面が異なる方向を向く第２の表示画面であって、表示画面を介してオブザーバからの入力を受け取るように構成された接触感応式表示画面である第２の表示画面とを備えるラップトップ・コンピュータ。
【請求項１０】
前記第１の表示画面も接触感応式表示画面である、請求項９に記載のラップトップ・コンピュータ。
【請求項１１】
前記第２の表示画面が、前記第１の位置にあるときに前記第１の表示画面の背面と向き合う背面を有し、前記第１の表示画面が、前記第１の表示画面が格納されたときに前記第２の表示画面の正面の閲覧面が露出するように、格納時に前記キーボードと向き合う正面の閲覧面を有する、請求項９に記載のラップトップ・コンピュータ。
【請求項１２】
着脱可能に前記第２の表示画面を覆うように適合された保護カバーをさらに備える、請求項９に記載のラップトップ・コンピュータ。
【請求項１３】
取外し可能に前記第２の表示画面を覆うように適合された保護カバーをさらに備える、請求項９に記載のラップトップ・コンピュータ。
【請求項１４】
前記第２の表示画面に結合されたタッチ画面スタイラスをさらに備える、請求項９に記載のラップトップ・コンピュータ。
【請求項１５】
電力およびデータ信号の両方を別のコンピュータ表示装置に供給するように構成されたコード・コネクタをさらに備える、請求項９に記載のラップトップ・コンピュータ。
【請求項１６】
少なくともキーボード、マイクロ・プロセッサおよびコンピュータ・メモリを有するラップトップ・コンピュータを備えるラップトップ・コンピュータ会議システムであって、前記ラップトップ・コンピュータが、電力および表示信号の両方を前記ラップトップ・コンピュータから独立した第１の表示装置に供給するように構成されたコード・コネクタをさらに備える、ラップトップ・コンピュータ会議システム。
【請求項１７】
前記第１の独立した表示画面も接触感応式表示画面である、請求項１６に記載のラップトップ・コンピュータ会議システム。
【請求項１８】
前記第１の独立した表示画面がビデオ・カメラを含む、請求項１６に記載のラップトップ・コンピュータ会議システム。
【請求項１９】
第２の独立した表示画面への電力と表示信号の両方を供給する統合ケーブルによって前記ラップトップ・コンピュータに結合された第２の独立した表示画面をさらに含む、請求項１６に記載のラップトップ・コンピュータ会議システム。
【手続補正書】
【提出日】平成18年9月4日(2006.9.4)
【手続補正１】
【補正対象書類名】明細書
【補正対象項目名】００１９
【補正方法】変更
【補正の内容】
【００１９】
図４には、折り畳んだ位置にある、本発明によるラップトップ・コンピュータ２の一実施形態が示してある。この位置にあるとき、ラップトップ・コンピュータ２は手書き入力タブレットとして使用することができる。図５には、図１に示した本発明の実施形態で使用される、任意選択の画面保護カバー４１が示してある。カバー４１は、プラスチックまたは金属など、どんな種類の素材で形成することもできる。このカバーは、表示画面４をぴったり覆うように構成することもできるが、第２の表示画面４にパチンと嵌ることが企図されている。
【手続補正２】
【補正対象書類名】図面
【補正対象項目名】図５
【補正方法】変更
【補正の内容】
【図５】
2007523399.tif 000009
【国際調査報告】
2007523399.tif 000010